(57)【要約】  内部を貫通する通路（２０）を有する基部（１８）を含む容器用の閉鎖装置（１２）。通路が容器の開口部の少なくとも一部と位置合わせされるように、基部の少なくとも一部が、開口部の少なくとも一部に取り付けられるように構成されている。キャップ（２２）は基部に移動可能に取り付けられる。キャップは、キャップの少なくとも一部が通路の少なくとも一部を遮る第１位置と、通路の少なくとも一部からキャップが離間されて容器内から内容物を通過させる第２位置との間で移動可能である。シール（２４）は、キャップおよび基部のうちの一方に配置される。【選択図】図２
2016507430.tif 000002
【特許請求の範囲】
【請求項１】
容器用の閉鎖装置であって、
内部を貫通する通路を有する基部であり、前記通路が前記容器の開口部の少なくとも一部と位置合わせされるように、前記基部の少なくとも一部が、前記開口部の少なくとも一部に取り付けられるように構成されている、基部と、
前記基部に移動可能に取り付けられたキャップであり、前記キャップの少なくとも一部が前記通路の少なくとも一部を遮る第１位置と、前記通路の少なくとも一部から前記キャップが離間して前記容器内から内容物を通過させる第２位置との間で移動可能である、キャップと、
前記キャップおよび前記基部のうちの一方にあるシールであり、前記通路を封止するように前記キャップが第１位置にあるときに、前記シールの少なくとも一部が、前記キャップと前記基部との間に配置され、かつ前記キャップと前記基部との間で少なくとも部分的に圧縮される、シールと、
を備える、容器用の閉鎖装置。
【請求項２】
前記通路が、前記基部の縦軸線にほぼ平行に延在し、かつ前記キャップが、前記基部の前記縦軸線にほぼ垂直な方向に移動する、請求項１に記載の容器用の閉鎖装置。
【請求項３】
前記縦軸線にほぼ垂直に測定される、前記キャップの幅が、前記縦軸線にほぼ垂直に測定される、前記基部の幅より少なくとも僅かに大きい、請求項２に記載の容器用の閉鎖装置。
【請求項４】
前記基部上または前記基部内に配置された少なくとも１つの第１締結部材と、
前記キャップ上または前記キャップ内に配置された少なくとも１つの第２締結部材とを更に備え、
前記第２締結部材が、前記第１締結部材と係合して前記基部に前記キャップを位置合わせする、
請求項２に記載の容器用の閉鎖装置。
【請求項５】
前記第１締結部材が、前記基部および前記キャップのうちの一方の上または内部に溝を備え、前記第２締結部材が、前記基部および前記キャップのうちの他方の上または内部にリブを備える、請求項４に記載の容器用の閉鎖装置。
【請求項６】
前記第１締結部材が、前記基部の少なくとも一部内に内向きに延在する溝を備え、前記第２締結部材が、前記キャップの内側から内向きに延在するリブを備える、請求項５に記載の容器用の閉鎖装置。
【請求項７】
前記第１締結部材が、前記基部の幅にわたって前記縦軸線にほぼ垂直に延在し、かつ前記第２締結部材が、前記キャップの前記幅にわたって前記縦軸線にほぼ垂直に延在する、請求項４に記載の容器用の閉鎖装置。
【請求項８】
前記基部が、第１部分と前記第１部分に固定的に取り付けられた第２部分とを含み、前記第２部分が、前記第１部分と比較して減少した断面積を有し、前記キャップが、前記第１位置にあるときに前記基部の前記第１部分の全体をほぼ取り囲む、請求項１に記載の容器用の閉鎖装置。
【請求項９】
前記基部の前記第１部分が、突起および前記第２部分とはほぼ反対側の相補的凹部のうちの一方を含み、かつ前記キャップが、前記突起および前記相補的凹部のうちの他方を含み、前記キャップが前記第１位置にあるときに、前記突起が前記相補的凹部内に配置され、かつ前記キャップが前記第２位置にあるときに、前記突起が前記相補的凹部から離間する、請求項８に記載の容器用の閉鎖装置。
【請求項１０】
内容物を保持するための空洞を画成する可撓性容器であって、前記空洞へのアクセスを可能にする開口部を含む容器と、
閉鎖装置であって、
内部を貫通する通路を有する基部であり、前記基部の少なくとも一部が前記可撓性容器の前記開口部の少なくとも一部に取り付けられており、前記通路が前記開口部を通して前記可撓性容器の前記空洞と連通する、基部と、
前記基部に移動可能に取り付けられたキャップであり、前記キャップの少なくとも一部が前記通路の少なくとも一部を遮る第１位置と、前記通路の少なくとも一部から前記キャップが離間して前記容器の前記空洞内から前記内容物を通過させる第２位置との間で移動可能である、キャップと、
前記キャップおよび前記基部のうちの一方にあるシールであり、前記通路を封止するように前記キャップが第１位置にあるときに、前記シールの少なくとも一部が、前記キャップと前記基部との間に配置され、かつ前記キャップと前記基部との間で少なくとも部分的に圧縮される、シールとを備える、
閉鎖装置と
を備える組み合わせ。
【請求項１１】
前記通路が、前記基部の縦軸線にほぼ平行に延在し、かつ前記キャップが、前記基部の前記縦軸線にほぼ垂直な方向に移動する、請求項１０に記載の組み合わせ。
【請求項１２】
前記基部上または前記基部内に配置された少なくとも２つの離間した第１締結部材と、
前記キャップ上または前記キャップ内に配置された少なくとも２つの離間した第２締結部材とを更に備え、
各第２締結部材が、前記第１締結部材のうちの１つと係合して前記基部に前記キャップを位置合わせする、
請求項１１に記載の組み合わせ。
【請求項１３】
各第１締結部材が、前記基部の少なくとも一部内に内向きに延在する溝を備え、各第２締結部材が、前記キャップの内側から内向きに延在するリブを備える、請求項１２に記載の組み合わせ。
【請求項１４】
各第１締結部材が、前記基部の幅にわたって前記縦軸線にほぼ垂直に延在し、かつ前記第２締結部材が、前記キャップの前記幅にわたって前記縦軸線にほぼ垂直に延在する、請求項１２に記載の組み合わせ。
【請求項１５】
前記閉鎖装置の前記基部が、第１部分と前記第１部分に固定的に取り付けられた第２部分とを含み、前記第２部分が、前記第１部分と比較して減少した断面積を有し、前記キャップが、前記第１位置にあるときに前記基部の前記第１部分の全体をほぼ取り囲む、請求項１０に記載の組み合わせ。
【請求項１６】
前記基部の前記第１部分が、突起および前記第２部分とはほぼ反対側の相補的凹部のうちの一方を含み、かつ前記キャップが前記突起および前記相補的凹部のうちの他方を含み、前記キャップが前記第１位置にあるときに、前記突起が前記相補的凹部内に配置され、かつ前記キャップが前記第２位置にあるときに、前記突起が前記相補的凹部から離間する、請求項１５に記載の組み合わせ。
【請求項１７】
前記容器により保持された前記内容物を更に含む、請求項１０に記載の組み合わせ。
【請求項１８】
前記内容物が、医薬的に許容される担体と、イベルメクチン、ブリモニジン、トリファロテン、アダパレン、クロベタゾール、およびベタメタゾンからなる群から選択される少なくとも１つの医薬有効成分とを含む医薬組成物を含む、請求項１７に記載の組み合わせ。
【請求項１９】
容器と閉鎖装置との組み合わせの使用方法であって、
閉鎖装置のキャップを前記閉鎖装置の基部に対して第１位置から第２位置に移動させて、前記基部を貫通する通路の少なくとも一部を露出させるステップであり、前記閉鎖装置が、前記容器の空洞へのアクセスを可能にする開口部を含む、ステップと、
前記閉鎖装置および前記容器を少なくも部分的に逆さにして、前記基部の前記通路を通して前記容器の前記空洞内から内容物を吐出させるステップと、
前記キャップを前記第２位置から前記第１位置に移動させて、前記通路を少なくとも部分的に遮ることにより、前記内容物が前記容器から吐出されるのを阻止するステップと、を含み、
前記キャップが前記第１位置にあるときに、前記キャップと前記基部との間のシールが少なくとも部分的に圧縮され、かつ前記キャップが前記第２位置にあるときに、前記シールが拡張する、
使用方法。
【請求項２０】
前記キャップが前記第１位置にあるときに、前記基部の突起が前記キャップの凹部内に挿入され、かつ前記キャップが前記第２位置にあるときに、前記突起が前記凹部から離間する、請求項１９に記載の使用方法。
【発明の詳細な説明】
【技術分野】
【０００１】
[0002]本発明は、一般に容器用の閉鎖装置に関し、より詳細には、少量の内容物でさえも吐出させるように可撓性容器の選択的な開閉を可能にする比較的小さく、薄くかつ／または平らな装置に関する。
【背景技術】
【０００２】
[0003]可撓性容器（例えば、パウチ、サシェ、透明なポリマーバッグなど）は、様々な物品（例えば、事務用品、宝石類、浴室用品もしくは旅行用品、食品（固体と液体の両方）など）を少なくとも一時的に保持または保存することでよく知られている。１つのこのような従来の可撓性容器は、ＺＩＰＬＯＣの名称で販売されている。従来の可撓性容器は非常に汎用性が高く役に立つが、このような容器では、比較的開口部が幅広となり、その結果、容器内からの内容物の放出を制御することが困難である。
【発明の概要】
【発明が解決しようとする課題】
【０００３】
[0004]比較的小さく、平らでかつ／または薄く、ならびに所望量の内容物を使用者が容器から容易に放出または吐出させることができるようにする、可撓性容器用の閉鎖装置またはその組み合わせを作製する方法がこれまで見出されていなかった。本発明は、上記の目的を達成し、従来の可撓性容器の上で説明した欠点を克服する。
【課題を解決するための手段】
【０００４】
[0005]簡潔に述べると、本発明の一態様は、基部を貫通する通路を有する基部を含む、容器用の閉鎖装置を対象とする。通路が容器の開口部の少なくとも一部と合致するように、基部の少なくとも一部が、開口部の少なくとも一部に取り付けられるように構成される。キャップは基部に移動可能に取り付けられる。キャップは、キャップの少なくとも一部が通路の少なくとも一部を遮る第１位置と、通路の少なくとも一部からキャップが離間して容器内から内容物を通過させる第２位置との間で移動可能である。シールは、キャップおよび基部のうちの一方に配置される。通路を封止するようにキャップが第１位置にあるときに、シールの少なくとも一部は、キャップと基部との間に配置され、かつキャップと基部との間で少なくとも部分的に圧縮される。
【０００５】
[0006]別の態様において、本発明は、内容物または物質を保持するための空洞を画成する可撓性容器を含む組み合わせを対象とする。容器は、空洞へのアクセスを可能にする開口部を含む。閉鎖装置は、基部を貫通する通路を有する基部を含む。基部の少なくとも一部は、可撓性容器の開口部の少なくとも一部に取り付けられる。通路は、開口部を通して可撓性容器の空洞に連通する。キャップは基部に移動可能に取り付けられる。キャップは、キャップの少なくとも一部が通路の少なくとも一部を遮る第１位置と、通路の少なくとも一部からキャップが離間して容器の空洞内から内容物または物質を通過させる第２位置との間で移動可能である。シールは、キャップおよび基部のうちの一方にある。通路を封止するようにキャップが第１位置にあるときに、シールの少なくとも一部は、キャップと基部との間に配置され、かつキャップと基部との間で少なくとも部分的に圧縮される。本発明の実施形態において、組み合わせは、容器により保持された内容物または物質を更に含む。好ましくは、内容物または物質は、医薬組成物を含む。
【０００６】
[0007]更に別の態様において、本発明は、閉鎖装置のキャップを閉鎖装置の基部に対して第１位置から第２位置に移動させて、基部を貫通する通路の少なくとも一部を露出させるステップを含む、容器と閉鎖装置との組み合わせの使用方法を対象とする。閉鎖装置は、容器の空洞へのアクセスを可能にする開口部を含む。本方法は、閉鎖装置および容器を少なくとも部分的に逆さにして、本体の通路を通して容器の空洞内から内容物または物質を吐出させるステップを含む。本方法は、キャップを第２位置から第１位置に移動させて、通路を少なくとも部分的に塞ぐことにより、内容物または物質が容器から吐出されるのを阻止するステップを含む。キャップが第１位置にあるときに、キャップと基部との間のシールが少なくとも部分的に圧縮され、かつキャップが第２位置にあるときに、シールが拡張する。
【０００７】
[0008]前述の概要、および以下の発明の詳細な説明は、添付の図面と併せて読むとき、より良く理解されるであろう。本発明を図解する目的で、現時点で好ましい実施形態が図面に示されている。しかしながら、本発明が図示の正確な配置および手段に限定されるものではないことを理解するべきである。
【図面の簡単な説明】
【０００８】
【図１】図１は、閉鎖装置のキャップがキャップの基部に対して第１位置すなわち閉鎖位置にある、本発明の好ましい実施形態による容器と閉鎖装置との組み合わせの上面斜視図である。
【図２】図２は、キャップが基部に対して第２位置すなわち部分的に分離した位置にある、閉鎖装置の上面斜視図である。
【図３】図３は、キャップが第２位置にある、閉鎖装置の部分側断面図である。
【図４】図４は、キャップが基部に対して第３位置すなわち完全に分離した位置にある状態で示されている、閉鎖装置の底面斜視図である。
【発明を実施するための形態】
【０００９】
[0013]以下の説明では、単に便宜的に、ある特定の専門用語が用いられるが、限定的なものではない。「上部」および「下部」という単語は、参照される図面中の方向を示す。「下向き」、「内向き」および「外向き」という単語は、本発明に係る、装置およびその指定部品の幾何学的中心に向かう方向および中心から離れる方向をそれぞれ指す。本明細書に特段の明記がない限り、「ａ」、「ａｎ」および「ｔｈｅ」という用語は、１つの要素に限定されるものではなく、「少なくとも１つの」を意味するものとして解釈されるべきである。専門用語には、上記の単語、その派生語、および同様の意味の単語が含まれる。
【００１０】
[0014]全体を通して類似の符号が類似の要素を表す、図面を詳細に参照すると、図１〜図４には、本発明の好ましい実施形態による、全体として符号１０で示す可撓性容器（図１にのみ図示する）、および全体として符号１２で示す閉鎖装置、またはそれらの組み合わせが示されている。組み合わせは、少なくとも比較的気密および／または液密状態で、内容物または物質（図示せず）（例えば、事務用品、宝石類、浴室用品もしくは旅行用品、食品（固体と液体の両方）、医薬組成物などを）少なくとも一時的に保存するように設計されることが好ましい。組み合わせおよび／または閉鎖装置１２は、少量の内容物または物質でさえも使用者が容器１０から選択的に放出または吐出させることができるようにすることが好ましい。組み合わせは、その保存および／または移送の容易さを向上させるために、少なくとも比較的小さく、薄くかつ／または平らであることが好ましい。
【００１１】
[0015]容器１０は、比較的耐久性に優れかつ弾性を有するポリマー材料などの可撓性材料で形成され、その結果、容器１０が繰り返しの使用に耐え得ることが好ましい。しかしながら、本発明は、可撓性を有する容器１０に限定されるものではない。例えば、容器１０を、硬質ポリマー材料または金属材料などの、より弾性の低い、非弾性の、または更にはほぼ剛性の材料から形成してもよい。容器１０は、少なくともほぼ透明であることが好ましいが、少なくともほぼ半透明または不透明であってもよい。
【００１２】
[0016]図１を参照すると、容器１０は、内容物または物質を保持するための空洞１４を画成または形成することが好ましい。容器１０は、空洞１４へのアクセスを可能にする開口部１６を含む。開口部１６は、容器１０の第１端部１０ａに形成されることが好ましい。開口部１６は、容器１０の第１の端部１０ａのほぼ全幅ＷＣにわたって延在することが好ましい。しかしながら、開口部１６は、容器１０の全幅ＷＣより小さいかまたは短くてもよい。容器１０の反対側の第２端部１０ｂは閉鎖されることが好ましい。容器１０は、形状が正方形または矩形であることが好ましい。しかしながら、容器１０は、このような形状および／または構成に限定されるものではない。例えば、容器１０は、以下に説明する機能性を可能にする様々な大きさ、形状および／または構成のいずれかを有し得る。
【００１３】
[0017]図１〜図４を参照すると、閉鎖装置１２は、第１端部すなわち上端部１８ａと反対側の第２端部すなわち下端部１８ｂとを有する基部１８を含むことが好ましい。基部１８の第１端部１８ａは、必ずしも厳密にではないにしても、第２端部１８ｂにほぼ平行に延在することが好ましい。図３に示すように、基部１８の縦軸線Ａは、基部の第１端部１８ａから基部の第２端部１８ｂに直線的に延在することが好ましい。基部１８はまた、第１側壁１８ｃと反対側の第２側壁１８ｄとを含むことが好ましく、第１側壁１８ｃと反対側の第２側壁１８ｄとが互いに平行に、かつ、必ずしも厳密にではないにしても、縦軸線Ａにほぼ平行に延在することが好ましい。傾斜面１８ｅは、第１端部１８ａから第２側壁１８ｄに延在するおよび／または第１端部１８ａを第２側壁１８ｄに連結することが好ましい。図３に示すように、傾斜面１８ｅは、第１端部１８ａにより画成される平面に対しておよそ５〜３０度（５°〜３０°）の角度θで下方に延在することが好ましい。基部１８は、傾斜面１８ｅを含むものに限定されない。換言すれば、基部１８は、側面から見たときに略正方形または略矩形であってもよい。
【００１４】
[0018]図１〜図３を参照すると、通路２０は、基部１８を完全に貫通することが好ましい。通路２０は、基部１８の第１側壁１８ｃと第２側壁１８ｄの各々から横方向内向きに間隔を置いて配置されることが好ましい。通路２０少なくとも一部が、必ずしも厳密にではないにしても、第１端部１８ａから第２端部１８ｂに縦軸線Ａに少なくともほぼ平行に延在することが好ましい。図３に示すように、基部１８の第１端部１８ａ近傍の通路２０の幅ＷＰは、第１端部１８ａの幅ＷＢＦ未満であることが好ましい。基部１８の第１端部１８ａ近傍の通路２０の幅ＷＰは、比較的少量の内容物または物質を使用者が基部１８の空洞１４からより容易に吐出させることができるようにする、容器１０の開口部１６と比較して、少なくとも比較的小さいかまたは狭い。基部１８の第１端部１８ａ近傍の通路２０の幅ＷＰはまた、基部１８の第２端部１８ｂ近傍の通路２０の幅ＷＰ２より小さいことが好ましい。しかしながら、通路２０は、図３に示す大きさ、形状および／または構成に限定されるものではない。むしろ、通路２０は、以下に説明する通路２０の機能性を可能にする任意の大きさ、形状および／または構成を有し得る。
【００１５】
[0019]通路２０は、閉鎖装置１２が容器１０に取り付けられたときに、容器１０の内容物または物質が容器１０の開口部１６から基部１８を通って流れるまたは移動することができるようにすることが好ましい。通路２０が開口部１６の少なくとも一部と合致するように、基部１８の少なくとも一部が、容器１０の開口部１６の少なくとも一部に取り付けられるように構成される。換言すれば、基部１８の通路２０が開口部１６を通して容器１０の空洞１４と連通するように、基部１８の少なくとも一部が容器１０の少なくとも一部に直接取り付けられる。
【００１６】
[0020]図２〜図４を参照すると、閉鎖装置１２の基部１８は、第１部分すなわち上部分３０と、この部分３０に固定的に取り付けられた第２部分すなわち下部分３２とを含むことが好ましい。第１部分３０が第２部分３２と一体に、単一にかつ一体構造として形成されることが好ましい。第２部分３２は、第１部分３０と比較して減少した幅および／または断面積を有することが好ましい。容器１０の第１端部１０ａの少なくとも一部は、基部１８の第２部分３２に固定的に直接取り付けられる。より詳細には、図１に示すように、容器１０の少なくとも一部が、基部１８の第２部分３２の少なくとも一部を取り囲んでこの部分３０と緊密に係合し、容器１０の少なくとも一部と基部１８の第２部分３２との間に気密および／または水密シールを形成することが好ましい。容器１０を、接着剤またはクリップ、クランプもしくは他の機械ファスナなどにより基部１８の第２部分３２に恒久的に取り付けてもよく、あるいは、容器１０を、面ファスナまたは他のファスナなどにより基部１８の第２部分３２に取り外し可能に取り付けてもよい。
【００１７】
[0021]図１〜図４に示すように、閉鎖装置１２は、基部１８に移動可能または摺動可能に取り付けられたキャップ２２を含むことが好ましい。キャップ２２は、必ずしも厳密にではないにしても、基部１８の縦軸線Ａにほぼ垂直な方向に移動する。キャップ２２は、キャップ２２の少なくとも一部が基部１８の通路２０の少なくとも一部を遮る第１位置すなわち完全に閉鎖した位置（図１参照）と、容器１０の空洞１４内から内容物または物質を通過させる通路２０の少なくとも一部からキャップ２２が離間して配置される第２位置すなわち部分的に分離した位置（図２および図３参照）との間で移動可能であることが好ましい。キャップ２２はまた、第３位置すなわち完全に分離した位置（図３参照）を有することが好ましく、この位置では、キャップ２２が基部１８から離間して配置される。（例えば、第１または第２位置において）キャップ２２が基部１８に取り付けられた時点で、使用者がキャップ２２を第３位置に移動させることができないことが好ましい。換言すれば、キャップ２２が第３位置となるのは、キャップ２２と基部１８との組み立て前においてのみであることが好ましい。
【００１８】
[0022]キャップ２２は、第１端部すなわち上端部２２ａと、反対側の第２端部すなわち下端部２２ｂと、第１側壁２２ｃと、反対側の第２側壁２２ｄと、傾斜面２２ｅとを含むことが好ましい。図２に示すように、第１端部２２ａなどのキャップ２２の一部は、使用者がキャップ２２を基部１８に対してより容易に移動させることできるように、使用者の指とキャップ２２との摩擦を増大させるための１つまたは複数の隆起したまたは窪んだグリップ３８を含み得る。基部１８と同様に、第１端部２２ａと第２端部２２ｂは、必ずしも厳密にではないにしても、ほぼ平行に延在することが好ましい。加えて、第１側壁２２ｃと第２側壁２２ｄは、必ずしも厳密にではないにしても、ほぼ平行に延在することが好ましい。第１位置と第２位置において、キャップ２２の傾斜面２２ｅは、必ずしも厳密にではないにしても、基部１８の傾斜面１８ｅにほぼ平行に延在することが好ましい。基部１８が略正方形または略矩形となるように、基部１８の傾斜面１８ｅが省略される実施形態では、キャップ２２が略正方形または略矩形となるように、キャップ２２の傾斜面２２ｅが省略されることが好ましい。図１に示すように、キャップ２２は、第１位置にあるときに基部１８の第１部分３０全体を少なくともほぼ取り囲む。図３に示すように、縦軸線Ａにほぼ垂直に測定される、キャップ２２の幅ＷＸは、縦軸線Ａにほぼ垂直に測定される、基部１８の幅ＷＹより少なくとも僅かに大きいことが好ましい。キャップ２２の幅ＷＸは、容器１０の幅ＷＣにほぼ等しいことが好ましい。
【００１９】
[0023]図１〜図４を参照すると、少なくとも１つの、好ましくは２つの離間した第１締結部材２６が、基部１８の第１部分３０上または第１部分３０内に配置されている。各第１締結部材２６は、必ずしも厳密にではないにしても、基部１８の幅ＷＹにわたって縦軸線Ａにほぼ垂直に延在することが好ましい。各第１締結部材２６は、基部１８の第１端部１８ａ、第２側壁１８ｄおよび傾斜面１８ｅから離間して配置される。少なくとも１つの、好ましくは２つの離間した第２締結部材２８は、キャップ２２上またはキャップ２２内に配置される。各第１締結部材２８は、必ずしも厳密にではないにしても、キャップ２２の幅ＷＸにわたって縦軸線Ａにほぼ垂直に延在することが好ましい。各第２締結部材２８は、キャップ２２の第１端部２２ａ、第２端部２２ｂ、第２側壁２２ｄおよび傾斜面２２ｅから離間して配置される。
【００２０】
[0024]好ましい実施形態において、各第１締結部材２６は、基部１８の第１部分３０の少なくとも１つのセグメント内に内向きに延在する略凹状または略直線状の溝を含む。同じように、各第２締結部材２８は、キャップ２２の内側から内向きに延在する略凸状または略直線状のリブを含むことが好ましい。各第２締結部材２８は、基部１８にキャップ２２を適切に位置合わせするために、第１締結部材２６のうちの１つと相補的に係合することが好ましい。図３および図４に示すように、各第１締結部材２６は、基部１８の全幅ＷＹにわたって延在しないことが好ましい。同様に、各第２締結部材２８は、キャップ２２の全幅ＷＸにわたって延在しないことが好ましい。図４に示すように、縦軸線に垂直に測定される、各第１締結部材２６の長さは、各第２締結部材２８の長さより大きい。より短い第２締結部材２８は、本明細書で説明するように、第１締結部材２６と比較して、基部１８に対するキャップ２２の移動動作または摺動動作の制御を可能にする。
【００２１】
[0025]図２および図３を参照すると、基部１８は、基部１８の第１端部１８ａから外方におよび／または第１端部１８ａよりも上方に延在する突起３４を含むことが好ましい。より好ましくは、突起３４は、基部１８の第１部分３０に配置され、かつ基部１８の第２部分３２とほぼ反対側に位置する。突起３４は略球根状であるが、突起３４はこのような形状に限定されるものではない。キャップ２２は、突起３４の一部を補完するおよび／または突起３４の一部を内部に少なくとも部分的に受け入れる凹部３６をキャップ２２内に含むことが好ましい。凹部３６は、キャップ２２の第１端部２２ａ内または第１端部２２ａ付近に配置されることが好ましい。キャップ２２が第１位置（図１参照）にあるときに、突起３４の少なくとも一部は、凹部３６内に受け入れられかつ保持される。キャップ２２が第１位置にあるときに、突起３４と凹部３６との係合により、第２位置へのキャップ２２の不本意な摺動が阻止されることが好ましい。キャップ２２が第２位置または第３位置（図２〜図４参照）にあるときに、突起３４は、凹部３６から離間して配置される。キャップ２２が基部１８を完全に覆うように配置されることと、これら２つが係止されるかさもなければ互いに係合される（すなわち、第１位置にある）ことを示すために、凹部３６との突起３４の係合が、可聴音もしくはカチッという音を生じさせるかまたはもたらしてもよい。代替的または追加的に、突起３４と凹部３６との係合が、キャップ２２と基部１８がいつ適切に係合されたかを示すように、使用者に触感を与えるか、または触覚で感知できる動きをもたらしてもよい。
【００２２】
[0026]図３に示すように、シールまたはガスケット２４は、キャップ２２の内面上にあるかまたは内面に組み込まれることが好ましい。より詳細には、シール２４は、キャップ２２の第１端部２２ａの少なくとも一部に取り付けられることが好ましい。代替的に、シール２４の少なくとも一部を、基部１８の第１端部１８ａの一部に取り付けてもよく、または更にはキャップ２２および基部１８のうちの一方と一体に形成してもよい。通路２０を流体的にほぼ封止するためにキャップ２２が第１位置（図１参照）にあるときに、シール２４の少なくとも一部は、通路２０とキャップ２２との間に配置されることが好ましい。シール２４は、ゴムまたは別のエラストマー材料などの、弾性を有する可撓性材料で形成されることが好ましい。シール２４は、シール２４を貫通する開口部（図示せず）を備えた略矩形状を有し得る。シール２４の開口部は、基部１８の第１端部１８ａにおける通路２０とほぼ同じ大きさかまたは通路より少なくとも僅かに大きくてもよい。
【００２３】
[0027]キャップ２２が第１の位置（図１参照）にあるときに、シール２４は、通路２０に対して緊密なシールをもたらすように、基部１８の第１端部１８ａの少なくとも一部とキャップ２２の第１端部２２ａの内側との間で少なくとも部分的に圧縮されることが好ましい。キャップ２２が第１位置にあるときに、シール２４は、突起３４から傾斜面１８ｅの一端に延在するかまたは基部１８の第１端部１８ａのほぼ全幅ＷＢＦに延在することが好ましく、かつ通路２０の大きさより少なくとも僅かに大きいことが好ましい。シール２４は、ＴＲＩＳＥＡＬ  ＣＯＲＰＯＲＴＡＴＩＯＮにより販売されている様々なシールのうちのいずれか１つであってもよい。シール２４は、所望に応じて、組み合わせまたはキャップ２２から省略されてもよい。
【００２４】
[0028]動作中に、閉鎖装置１２は、少量の内容物または物質でさえも使用者が容器１０の空洞１４から選択的に回収および／または吐出させることができるようにすることが好ましい。使用者または消費者が閉鎖装置１２を容器１０に取り付けてもよく、または、製造業者が閉鎖装置１２を容器１０に取り付けて、その組み合わせを単一ユニットとして販売してもよい。容器１０が内容物または物質を封入しかつ閉鎖装置１２が容器１０に適切に取り付けられる実施形態では、使用者が、キャップ２２を基部１８に対して縦軸線Ａにほぼ垂直に摺動させるかまたは別の方法で移動させることにより内容物または物質を吐出させてもよい。通路２０の少なくとも一部を露出させるようにキャップ２２を移動させた時点で、容器１０および／または組み合わせを少なくとも部分的に逆さにすることなどにより、容器１０から内容物または物質を吐出させてもよい。所望量の内容物または物質が吐出された時点で、基部１８の通路２０を閉鎖するように、キャップ２２を逆方向に摺動させるかまた別の方法で移動させる。第１位置（図１参照）において、シール２４は、通路２０および／または空洞１４からの内容物または物質の不本意な吐出、漏出または流出を阻止するために、少なくともほぼ気密および／または流体密状態で、内容物または物質を通路２０および／または空洞１４内に維持することが好ましい。
【００２５】
[0029]使用者または消費者が容器１０と閉鎖装置１２との組み合わせを（本発明の実施形態に示す構成などの）完全に組み立てられた構成で受け取るかさもなければ購入することが想定される。任意の好適な内容物または物質を容器１０により保持することができる。例えば、内容物または物質は、事務用品、宝石類、浴室用品もしくは旅行用品、食品（固体と液体の両方）などとすることができる。内容物または物質はまた、医薬的に許容される担体と１または複数の医薬有効成分とを含む医薬組成物とすることができる。医薬組成物は、例えば、錠剤、カプセル、ペースト、液体などの、任意の望ましい形態とすることができる。本発明の実施形態によれば、内容物または物質は、イベルメクチン、ブリモニジン、トリファロテン（ｔｒｉｆａｒｏｔｅｎｅ）、アダパレン、クロベタゾール、およびベタメタゾンからなる群から選択される少なくとも１つの医薬有効成分を含む局所用組成物である。本開示を考慮し、当技術分野で知られている任意の方法を使用して、内容物または物質を容器１０内に配置または包装することができる。
【００２６】
[0030]容器１０と閉鎖装置１２との組み合わせの使用方法は、通路２０の少なくとも一部を露出させるように、キャップ２２を第１位置（図１参照）から第２位置（図２〜図３参照）に基部１８に対して移動させるステップを含む。本方法は、基部１８の通路２０を通して容器１０の空洞１４内から内容物または物質を吐出させるために、閉鎖装置１２および容器１０を少なくとも部分的に逆さにするステップを更に含む。本方法はまた、通路２０を少なくとも部分的に塞ぎ、それにより内容物または物質が容器１０から出るのを阻止するために、キャップ２２を第２位置（図２、図３参照）から第１位置（図１参照）に移動させるステップを含む。
【００２７】
[0031]当業者であれば、本発明の広い発明概念から逸脱することなく、上で説明した実施形態に対して変更を加えることできることを認識するであろう。それゆえ、本発明が開示の特定の実施形態に限定されるものではなく、添付の特許請求の範囲により定義される本発明の精神および範囲内の修正を網羅するように意図されたものであることが理解される。
【図１】
2016507430.tif 000003
【図２】
2016507430.tif 000004
【図３】
2016507430.tif 000005
【図４】
2016507430.tif 000006
【国際調査報告】
2016507430.tif 000007
2016507430.tif 000008
2016507430.tif 000009